(57)【要約】      （修正有）【課題】育苗期間中の発芽状況や苗の生育状況を外部から容易に観察することができる育苗ビニルハウスを提供する。【解決手段】遮光性を有する育苗ビニルハウスの一又は二の妻面に透明又は半透明の観察用窓を取り付けた。観察用窓にワイパーなどの結露除去手段を取り付け、これを外部に設けたハンドルなどを操作して作動できるように形成した。【選択図】図１
0003152792.tif 000002
【実用新案登録請求の範囲】
【請求項１】
遮光性を有するビニルシートを張設して成る育苗用ビニルハウスの一又は両方の妻面に透光性を有する窓を設けて内部の観察を可能にした育苗用ビニルハウス。
【請求項２】
窓の内側に付着した結露や汚れ等を除去する払拭手段を窓の内側に取り付け、窓の外側に払拭手段を操作する操作手段を取り付けたことを特徴とする請求項１記載の育苗用ビニルハウス。
【考案の詳細な説明】
【技術分野】
【０００１】
本考案は遮光性を有するビニルハウス、より詳しくは種子を発芽させる、あるいは圃場へ移植する苗を育成するための半閉鎖空間を形成する育苗用ビニルハウスに関する。
【背景技術】
【０００２】
遮光性を有する天壁及び側壁に採光用の窓が設けられた茸栽培用ハウスの発明がある。
【先行技術文献】
【特許文献】
【０００３】
【特許文献１】特開２００７−１９５４７６号公報
【考案の概要】
【考案が解決しようとする課題】
【０００４】
水稲の苗、野菜苗又花類の苗を種子からあるいは、極めて初期の段階の苗から育苗する育苗ビニルハウスには、通常遮光性を有するビニルシートが張設されている。また、人などが入れない小さいサイズのものであることが多い。さらに、ビニルハウス内の温度や湿度などの内部環境の安定化や均一化を図るために開口部は設けられておらず、半閉鎖空間が形成されている。
【０００５】
従って、育苗期間中は種子の発芽状態や苗の成長状態をビニルハウスの外部から観察することはできず、経験と勘を頼りに一定期間経過後にビニルシートを取り外して成長した苗をビニルハウスから取り出して圃場へと移植している。
【０００６】
しかし、天候や気温の急激な変動あるいは日照の強弱によって育苗ハウス内の生育環境が変化し、これが苗の成長に大きな影響を与えることがある。また、病原菌や害虫による被害が発生していてもこれに気づかないまま放置することになる。育苗ハウス内での苗の良し悪しが作物の収穫量を大きく左右し、その後の育成計画に大きな狂いを生じさせる恐れがあるにも関わらず、生産者はハウス内の苗の生育状態を確認することができず不安な日々を送っているのが現状である。
【０００７】
そこで、本考案では育苗期間中の発芽状況や苗の生育状況を育苗ビニルハウスの外部から容易に観察する手段を提供することを目的としたのである。
【０００８】
また、ビニルハウス内の室温や湿度はハウス外の大気より高いため、ビニルハウス室内側内面に多数の結露が付着する。しかし、この結露や汚れを外部操作によって簡単に除去する手段はなかった。
【課題を解決するための手段】
【０００９】
上記課題を解決するために、本考案では遮光性を有する育苗ビニルハウスの一又は二の妻面に透明又は半透明の観察用窓を取り付けたのである。
【００１０】
また、上記観察用窓にワイパーなどの結露除去手段を取り付け、これを外部に設けたハンドルなどを操作して作動できるように形成したのである。
【考案の効果】
【００１１】
１．従来、育苗期間中は観察できなかった発芽状況や苗の生育状態を外部から容易に観察できるため、最適な生育状態で苗を取り出すことができる。またなんらかの要因により
苗に異常を発見した場合でも適正な対処が迅速に行え、作物の育成計画に狂いを生じさせることなく収穫量を安定させることができるのである。
【００１２】
２．苗の生育状況が気になって育苗途中でビニルシートをめくると大気が流入して急激な温度変化などを生じ密閉性を保つことができず、かえって苗の生育に悪影響を与えていたが、観察用窓から内部を観察できるため育苗期間中、良好な育苗ハウスの生育環境を保つことができる。
【００１３】
３．結露や汚れなどを外部操作によって除去する手段を観察窓に取り付けたため、ビニルハウス内の環境を保ちながら、常に苗の生育状況を的確に確認できる。
【図面の簡単な説明】
【００１４】
【図１】図１は、請求項１記載の育苗ビニルハウスの斜視図である。
【図２】図２は、請求項２記載の観察窓に取り付けたワイパーの作動状態を示す説明図である。
【図３】図３は同、ワイパーの一部破断拡大断面図である。
【考案を実施するための形態】
【００１５】
次に、本考案の最適な実施形態について図面を参照しながら詳説する。
図１が、請求項１記載の観察用窓４を有する育苗ビニルハウス１の斜視図である。
育苗ビニルハウス１はかまぼこ形状に形成して地面に設置した骨組みとなるパイプフレーム３に遮光性を有するビニルシート２を張設して成る。観察窓４はビニルハウス１の長手方向ではない面、いわゆる妻面１ａに設ける。一の妻面に設けても良いし、両方の妻面にそれぞれ観察窓を設けても良い。
【００１６】
観察用窓４は木製あるいはスチール製などの支持枠５によって支持されている。
矩形の支持枠（図示せず）の下部をビニルハウス妻面の地面に直接埋設しても良いし、図１に示すように門型の支持枠５の両脚部に一対のスタンド６−６を一体的に形成して、地面に立設しても良い。支持枠５は図３に示すように断面視において凹型溝が形成されており、当該溝に板ガラス４を嵌合して観察窓を形成している。観察窓として使用するのは板ガラスに限定されるものではなく、透明、半透明であってビニルハウス内部が容易に観察できるものであれば素材は問わない。板ガラスのほかに、ポリカーボネートやアクリル板などの素材を利用することが考えられる。
【００１７】
また、窓支持枠の形状や大きさも実施例に限定されるものではなく、矩形の枠、一対の支柱から成る支持枠又は門型の枠などが考えられる。また、支持枠の素材も鉄製あるいは木製など、観察窓を適性に支えることができれば様々な素材で応用可能である。
【００１８】
次に請求項2記載の育苗ビニルハウスに設けた観察窓に取り付けるワイパーについて説明する。
【００１９】
図２が矩形の支持枠７によって支持されている板ガラスから成る観察窓８に取り付けたワイパー９の作動状態を示す説明図である。
ワイパー９はワイパーアーム１２、操作ハンドル１０及びこれらを接続するピボット軸２０から構成される。
【００２０】
ワイパーアーム１２の先端にはエラストマー等の弾性材料から成る払拭部材であるワイパーブレード１３を取り付け、ワイパーアーム１２をビニルハウス外側から操作する操作ハンドル１０の端部にはつまみ部１１を取り付ける。
【００２１】
また、図３の一部拡大破断断面図に示すように、ワイパーの回動を可能にするピボット軸２０を板ガラス及び支持枠７を貫通してビニルハウスの内外に突出させ、板ガラスの内側に突出させたピボット軸の端部にワイパーアーム１２を、外側に突出させたピボット軸の端部に操作ハンドル１０を接続するのである。
【００２２】
さらに詳しく説明すると、支持枠7に形成された凹溝７ａに嵌合した板ガラス８及び支持枠７にピボット軸２０の貫通孔を形成し、ワッシャ１６及び１７を配置してワイパーアーム１２をビニルハウス内側に取り付けてナット１９で止め付ける一方、ビニルハウス外側に操作ハンドル１０を同じくワッシャ１４、１５を介してナット１８で止め付けるのである。
【００２３】
ビニルハウスの内外の温度や湿度の差から観察窓の内側には結露が生じやすく、これをそのまま放置したのではせっかく設けた観察窓からビニルハウスの内側の様子を確認することができないおそれがある。そこで、観察者は操作ハンドル１０のつまみ１１を把持してビニルハウス内側に位置するワイパーアーム１２をスイングさせてワイパーブレード１３を観察窓の内側に摺接させ、板ガラス８の被払拭面に付着した結露、霜、汚れなどを払拭するのである。ワイパーブレード１３には可撓性を有する弾性部材を使用しているため板ガラス８の表面に付着した結露等を効果的に除去することができるのである。
【産業上の利用可能性】
【００２４】
本考案は遮光性を有する不透明なビニルシートで囲まれた育苗ビニルハウスに最適に利用されるが、これに限定されるものではなく遮光することが必要で一定期間密閉状態を保つことが要求される作物の育成ビニルハウスなどにも応用可能である。
【符号の説明】
【００２５】
１、育苗ビニルハウス
２、ビニルシート
４、８、観察窓    
５、７、支持枠
９、ワイパー      
１０、操作ハンドル
１２、ワイパーアーム    
１３、ワイパーブレード
２０、ピボット軸
【図１】
0003152792.tif 000003
【図２】
0003152792.tif 000004
【図３】
0003152792.tif 000005